(57)【特許請求の範囲】
【請求項１】
無線機器と、この無線機器に対して無線通信により固有情報を設定する固有情報設定装置とを備えた固有情報設定システムにおいて、
前記固有情報設定装置は、
指定されたエリアのレイアウト図を画面に表示するレイアウト図表示手段と、
このレイアウト図表示手段が表示するレイアウト図において、自己の現在位置を計測地点として指定したうえ計測開始が指示された場合、通信可能圏内の無線機器に対してその無線機器に設定されている識別情報の返送指令を送信する返送指令送信手段と、
この返送指令送信手段からの返送指令に応えて返送されてきた識別情報とその識別情報の受信時の電波強度との対を前記計測地点での計測結果として記憶する計測結果記憶手段と、
この計測結果記憶手段が記憶する少なくとも３つの前記計測地点での計測結果に基づいて、その計測結果に含まれる識別情報毎にその識別情報を返送してきた無線機器の位置を特定し、その特定した無線機器の位置を前記レイアウト図中に表示する無線機器位置特定手段と、
前記レイアウト図中に表示されているその位置が特定された無線機器の中から、所望の無線機器が設定対象の無線機器として指定された場合、その指定された設定対象の無線機器に対する設定情報の入力部を表示する設定情報入力部表示手段とを備え、
前記無線機器は、
前記固有情報設定装置より送られてくる識別情報の返送指令に応えて自己に設定されている識別情報を返送する識別情報返送手段を備える
ことを特徴とする固有情報設定システム。
【請求項２】
請求項１に記載された固有情報設定システムにおいて、
前記固有情報設定装置は、
前記設定情報の入力部に所望の設定情報が入力され、その設定情報の入力が確定された場合、その確定された設定情報を前記設定対象の無線機器の識別情報を付加して通信可能圏内の無線機器に対して送信する設定情報送信手段を備え、
前記無線機器は、
前記固有情報設定装置より送られてくる設定情報を受信し、その設定情報に付加されている識別情報と自己に設定されている識別情報とが一致していた場合、その設定情報を自己に割り当てられた固有情報として記憶する固有情報記憶手段と
を備えることを特徴とする固有情報設定システム。
【請求項３】
無線機器に対して無線通信により固有情報を設定する固有情報設定装置において、
指定されたエリアのレイアウト図を画面に表示するレイアウト図表示手段と、
このレイアウト図表示手段が表示するレイアウト図において、自己の現在位置を計測地点として指定したうえ計測開始が指示された場合、通信可能圏内の無線機器に対してその無線機器に設定されている識別情報の返送指令を送信する返送指令送信手段と、
この送信手段からの返送指令に応えて返送されてきた識別情報とその識別情報の受信時の電波強度との対を前記計測地点での計測結果として記憶する計測結果記憶手段と、
この計測結果記憶手段が記憶する少なくとも３つの前記計測地点での計測結果に基づいて、その計測結果に含まれる識別情報毎にその識別情報を返送してきた無線機器の位置を特定し、その特定した無線機器の位置を前記レイアウト図中に表示する無線機器位置特定手段と、
前記レイアウト図中に表示されているその位置が特定された無線機器の中から、所望の無線機器が設定対象の無線機器として指定された場合、その指定された設定対象の無線機器に対する設定情報の入力部を表示する設定情報入力部表示手段と
を備えることを特徴とする固有情報設定装置。
【請求項４】
請求項３に記載された固有情報設定装置において、
前記設定情報の入力部に所望の設定情報が入力され、その設定情報の入力が確定された場合、その確定された設定情報を前記設定対象の無線機器の識別情報を付加して通信可能圏内の無線機器に対して送信する設定情報送信手段
を備えることを特徴とする固有情報設定装置。
【発明の詳細な説明】
【技術分野】
【０００１】
この発明は、無線機器に対して固有情報設定装置より無線通信により管理番地や各種のパラメータなどの固有情報を設定する固有情報設定システムおよび固有情報設定装置に関するものである。
【背景技術】
【０００２】
施工の簡略化などを目的として、建物の空調制御用機器（例えば、コントローラ、センサ、アクチュエータ）の無線化が進みつつある。これらの無線機器には空調制御システムとして機能させるために管理番地や各種のパラメータなどの固有情報を設定する必要がある。
【０００３】
この無線機器に固有情報を設定するための方式として、従来より、
（１）固有情報設定用のスイッチを無線機器に設ける方式．
（２）固有情報設定装置を無線機器に通信線で接続し、通信線を介する固有情報設定装置からの操作で、無線機器内部の不揮発性メモリに固有情報を書き込む方式．
などがある。
【０００４】
上述した方式（１）では、スイッチと読み込み回路が必要となり、上述した方式（２）では、固有情報設定装置との有線通信回路が必要となる。また、方式（１），（２）ともに、天井裏等に設置された無線機器に対して固有情報の設定を行うような場合、梯子などを利用して無線機器に近づく必要があり、設定作業が煩わしく、時間もかかる。なお、設置前に固有情報を設定しておいたとしても、固有情報に変更が生じれば、やはり梯子などを利用して無線機器に近づく必要がある。
【０００５】
これに対し、無線機器に対して固有情報設定装置より無線通信により固有情報の設定を行うようにすれば、梯子などを利用して無線機器に近づかなくてもよく、設定作業が簡単となる。例えば、特許文献１では、ワイヤレス式アドレス設定器（固有情報設定装置）を用いて、無線通信により、現場に設置された端末器（無線機器）にアドレス（固有情報）を設定するようにしている。以下、この特許文献１に示された方式を方式（３）と呼ぶ。
【０００６】
方式（３）では、ワイヤレス式アドレス設定器を使用するにあたって、設定用操作部を介して、各端末器の物理識別子（識別情報）とその端末器に割り当てるアドレスとを入力する。これにより、ワイヤレス式アドレス設定器内に、各端末器の物理識別子とその端末器に割り当てるアドレスとの対応関係を登録する。端末器にアドレスを設定する際には、所望の端末器が設置されている場所にワイヤレス式アドレス設定器を持って行き、その端末器の物理識別子を選択操作部を介して入力する。この時、ワイヤレス式アドレス設定器の送受信部は、所望の端末器の送受信部に向ける。すると、入力した物理識別子に対応するアドレスが読み出され、所望の端末器に向けて送出される。これにより、所望の端末器に、その端末器の物理識別子と対応づけて登録したアドレスが設定される。
【０００７】
【特許文献１】特開平８−１４０１６９号公報
【発明の開示】
【発明が解決しようとする課題】
【０００８】
しかしながら、上述した方式（３）では、ワイヤレス式アドレス設定器に各端末器の物理識別子とその端末器に割り当てるアドレスとの対応関係を登録しなければならず、このための登録作業が面倒である。
また、上述した方式（３）では、端末器の設置場所が分かっていることが前提であり、端末器の設置場所が不明確な場合には、アドレスの設定が困難であった。
また、上述した方式（３）では、ワイヤレス式アドレス設定器の通信可能圏内に複数の端末器が混在するような場合、所望の端末器に対するアドレスが別の端末器に設定されてしまう虞れがあった。
【０００９】
本発明は、このような課題を解決するためになされたもので、その目的とするところは、固有情報設定装置に各無線機器の識別情報とその無線機器に割り当てる固有情報との対応関係を登録する必要がなく、無線機器の設置場所が不明確な場合であっても所望の無線機器を探し出し、その無線機器のみに正しく固有情報を設定することが可能な固有情報設定システムおよび固有情報設定装置を提供することにある。
【課題を解決するための手段】
【００１０】
このような目的を達成するために本発明は、無線機器と、この無線機器に対して無線通信により固有情報を設定する固有情報設定装置とを備えた固有情報設定システムにおいて、固有情報設定装置に、指定されたエリアのレイアウト図を画面に表示するレイアウト図表示手段と、このレイアウト図表示手段が表示するレイアウト図において、自己の現在位置を計測地点として指定したうえ計測開始が指示された場合、通信可能圏内の無線機器に対してその無線機器に設定されている識別情報の返送指令を送信する返送指令送信手段と、この返送指令送信手段からの返送指令に応えて返送されてきた識別情報とその識別情報の受信時の電波強度とを対とし前記計測地点での計測結果として記憶する計測結果記憶手段と、この計測結果記憶手段が記憶する少なくとも３つの計測地点での計測結果に基づいて、その計測結果に含まれる識別情報毎にその識別情報を返送してきた無線機器の位置を特定し、その特定した無線機器の位置をレイアウト図中に表示する無線機器位置特定手段と、レイアウト図中に表示されているその位置が特定された無線機器の中から、所望の無線機器が設定対象の無線機器として指定された場合、その指定された設定対象の無線機器に対する設定情報の入力部を表示する設定情報入力部表示手段とを設け、無線機器に、固有情報設定装置より送られてくる識別情報の返送指令に応えて自己に設定されている識別情報を返送する識別情報返送手段を設けたものである。なお、本発明は、固有情報設定システムとしてではなく、固有情報設定装置としても実現することができる。
【００１１】
この発明によれば、例えば、１階フロアに設置されている無線機器に対して管理番地やパラメータなどの固有情報を設定したい場合、固有情報設定装置の画面上に１階フロアのレイアウト図を表示させる。そして、１階フロアにおける自己の現在位置を第１の計測地点として指定し、計測開始を指示する。すると、固有情報設定装置は、通信可能圏内の無線機器に対して、その無線機器に設定されている識別情報の返送指令を送信する。通信可能圏内の無線機器は、固有情報設定装置からの識別情報の返送指令に応えて、自己に設定されている識別情報を返送する。なお、この場合の識別情報とは、例えば製造番号のような無線機器を特定し得る情報のことをいう。固有情報設定装置は、通信可能圏内の無線機器から識別情報が返送されてくると、返送されてきた識別情報とその識別情報の受信時の電波強度との対を第１の計測地点での計測結果として記憶する。
【００１２】
次に、１階フロアにおける計測地点を変更し、変更後の自己の現在位置を第２の計測地点として指定し、計測開始を指示する。すると、固有情報設定装置は、通信可能圏内の無線機器に対して、その無線機器に設定されている識別情報の返送指令を送信する。通信可能圏内の無線機器は、固有情報設定装置からの識別情報の返送指令に応えて、自己に設定されている識別情報を返送する。固有情報設定装置は、通信可能圏内の無線機器から識別情報が返送されてくると、返送されてきた識別情報とその識別情報の受信時の電波強度との対を第２の計測地点での計測結果として記憶する。
【００１３】
次に、１階フロアにおける計測地点をさらに変更し、変更後の自己の現在位置を第３の計測地点として指定し、計測開始を指示する。すると、固有情報設定装置は、通信可能圏内の無線機器に対して、その無線機器に設定されている識別情報の返送指令を送信する。通信可能圏内の無線機器は、固有情報設定装置からの識別情報の返送指令に応えて、自己に設定されている識別情報を返送する。固有情報設定装置は、通信可能圏内の無線機器から識別情報が返送されてくると、返送されてきた識別情報とその識別情報の受信時の電波強度との対を第３の計測地点での計測結果として記憶する。
【００１４】
このようにして、本発明では、少なくとも３つの計測地点で、通信可能圏内の無線機器からの識別情報の返送を受け、返送されてきた識別情報とその識別情報の受信時の電波強度との対を各計測地点での計測結果として記憶する。ここで、例えば、計測地点を３つとし、その３つの計測地点での計測結果が記憶されているものとすれば、その計測結果に含まれる識別情報毎にその識別情報を返送してきた無線機器の位置を３辺測位法などのアルゴリズムによって特定することが可能である。
【００１５】
すなわち、識別情報の受信時の電波強度をもとにその識別情報を返送してきた無線機器と各計測地点との間の距離を推定し、この推定した距離より３辺測位法などのアルゴリズムによって、識別情報を送信してきた無線機器の位置を特定することが可能である。この場合、計測地点をさらに増やすことによって、無線機器の位置の特定精度を高めることが可能となる。本発明では、このようにして無線機器の位置を特定し、その特定した無線機器の位置をレイアウト図中に表示する。これにより、無線機器の設置場所が不明確な場合であっても、所望の無線機器を探し出すことが可能となる。
【００１６】
また、本発明では、レイアウト図中に表示されているその位置が特定された無線機器の中から、所望の無線機器が設定対象の無線機器として指定された場合、その指定された設定対象の無線機器に対する設定情報の入力部が表示される。
【００１７】
例えば、レイアウト図中に、無線機器Ａ，Ｂ，Ｃがその位置を特定して表示されているとする。この中から、無線機器Ａを設定対象の無線機器として指定すると、無線機器Ａに対する設定情報の入力部が表示される。この場合、無線機器Ａに対する設定情報の入力部として、例えば、実際の無線機器Ａの記憶部から設定情報のデフォルト値を取得し、そのデフォルト値を含む各種設定情報の入力ウィンドウを表示するようにしたり、固有情報設定装置自身の記憶部から無線機器Ａの種類に応じた設定情報のデフォルト値を取得し、そのデフォルト値を含む各種設定情報の入力ウィンドウを表示するようにしたりする。
【００１８】
これにより、レイアウト図中に表示されている無線機器の中から、所望の無線機器を設定対象の無線機器として指定して、この設定対象の無線機器に対する設定情報の入力部を表示させ、この設定情報の入力部から設定対象の無線機器への所望の設定情報（固有情報）を入力することが可能となる。
【００１９】
また、本発明では、固有情報設定装置に設定情報送信手段を設け、設定情報の入力部に所望の設定情報が入力され、その設定情報の入力が確定された場合、その確定された設定情報を設定対象の無線機器の識別情報を付加して通信可能圏内の無線機器に対して送信するようにする。また、無線機器に固有情報記憶手段を設け、固有情報設定装置より送られてくる設定情報を受信し、その設定情報に付加されている識別情報と自己に設定されている識別情報とが一致していた場合、その設定情報を自己に割り当てられた固有情報として記憶するようにする。
【００２０】
例えば、無線機器Ａを設定対象の無線機器とし、この無線機器Ａに対する設定情報の入力部に所望の設定情報が入力され、その設定情報の入力が確定されたとする。この場合、その確定された設定情報が無線機器Ａの識別情報＃１を付加して、固有情報設定装置から通信可能圏内の無線機器に送信される。ここで、通信可能圏内の無線機器Ａは、固有情報設定装置より送信されてきた設定情報に付加されている識別情報＃１と自己の識別情報＃１とが一致するので、その設定情報を自己に割り当てられた固有情報として記憶する。これにより、設定対象の無線機器のみに、正しく固有情報を設定することが可能となる。
【発明の効果】
【００２１】
本発明によれば、固有情報設定装置の画面上にレイアウト図を表示し、このレイアウト図において計測地点を指定するようにし、その指定した少なくとも３つの計測地点での計測結果に基づいて、その計測結果に含まれる識別情報毎にその識別情報を返送してきた無線機器の位置を特定し、その特定した無線機器の位置をレイアウト図中に表示するようにし、レイアウト図中に表示されているその位置が特定された無線機器の中から所望の無線機器を設定対象の無線機器として指定された場合、その指定された設定対象の無線機器に対する設定情報の入力部を表示するようにしたので、その設定情報の入力部に入力された設定情報を設定対象の識別情報を付加して通信可能圏内の無線機器に送信するようにして、固有情報設定装置に各無線機器の識別情報とその無線機器に割り当てる固有情報との対応関係を登録することなく、無線機器の設置場所が不明確な場合であっても所望の無線機器を探し出し、その無線機器のみに正しく固有情報を設定することが可能となる。
【発明を実施するための最良の形態】
【００２２】
以下、本発明を図面に基づいて詳細に説明する。図１は本発明に係る固有情報設定システムの一実施の形態を示す構成図である。
同図において、１（１−１〜１−３）は空調制御用の無線機器（例えば、コントローラ、センサ、アクチュエータ）、２は固有情報設定装置であり、無線機器１，固有情報設定装置２ともに双方向の無線通信機能を有している。
この実施の形態では、固有情報設定装置２としてパーソナルコンピュータを用いているが、独自のハードウェアを搭載した専用の設定装置としてもよい。
【００２３】
図１において、無線機器１−１〜１−３は天井裏に設置され、固有情報設定装置２は室内側において操作者が持ち運ぶ。無線機器１−１〜１−３には、製造番号のような物理識別子が機器固有の識別情報として設定されている。この物理識別子は、固有情報設定装置２の交信圏内で重複がなければよい。この例では、無線機器１−１に対して物理識別子＃１が、無線機器１−２に対して物理識別子＃２が、無線機器１−３に対して物理識別子＃３が設定されている。
【００２４】
図２に無線機器１の内部構成の概略を示す。無線機器１は、ＣＰＵ１Ａ、ＲＯＭ１Ｂ、ＲＡＭ１Ｃ、不揮発性メモリ１Ｄ、無線送受信回路１Ｅ、計測制御用入出力回路１Ｆ、アンテナ１Ｇを備えている。ＣＰＵ１Ａは、ＲＡＭ１Ｃおよび不揮発性メモリ１Ｄにアクセスしながら、ＲＯＭ１Ｂに格納されたプログラムに従って動作する。
【００２５】
ＲＯＭ１Ｂには、本実施の形態特有のプログラムとして、固有情報設定装置２側の固有情報設定プログラムと協働して固有情報の設定を行う固有情報設定プログラム（無線機器側の固有情報設定プログラム）が格納されている。この固有情報設定プログラムは工場出荷段階でＲＯＭ１Ｂに格納されている。
【００２６】
また、この実施の形態において、無線機器１の物理識別子は不揮発性メモリ１Ｄに格納されている。また、不揮発性メモリ１Ｄには、無線機器１に設定されるべき固有情報（設定情報）のデフォルト値、すなわち各種設定情報項目およびその設定情報項目に対する設定情報のデフォルト値が格納されている。このデフォルト値は工場出荷時に設定されている。
【００２７】
図３に固有情報設定装置２のハードウェア構成の概略を示す。同図において、２−１はＣＰＵ、２−２はＲＡＭ、２−３はＲＯＭ、２−４はハードディスクなどの記憶装置、２−５は無線送受信部、２−６，２−７はインターフェイス、２−８はディスプレイ、２−９はキーボード、２−１０はマウス、２−１１はアンテナである。ＣＰＵ２−１は、ＲＡＭ２−２にアクセスしながら、ＲＯＭ２−３や記憶装置２−４に格納されたプログラムに従って動作する。
【００２８】
記憶装置２−４には、本実施の形態特有のプログラムとして、無線機器１側の固有情報設定プログラムと協働して無線機器１への固有情報の設定を行う固有情報設定プログラム（固有情報設定装置側の固有情報設定プログラム）が格納されている。この固有情報設定プログラムは、例えばＣＤ−ＲＯＭなどの記録媒体に記録された状態で提供され、この記録媒体から読み出されて記憶装置２−４にインストールされている。
【００２９】
また、記憶装置２−４には、無線機器１が設置されているフロアのレイアウト図が格納されている。例えば、無線機器１が設置されている施設がｎ階のビルであるものとした場合、各階のフロアのレイアウト図が格納されている。なお、この実施の形態において、無線機器１−１〜１−３は、１階のフロアに設置されているものとする。
【００３０】
以下、図４に示すシーケンス図を参照して、無線機器１（ＣＰＵ１Ａ）および固有情報設定装置２（ＣＰＵ２−１）が実行する固有情報設定プログラムに従う処理動作について説明する。なお、この例では、固有情報を設定したい所望の無線機器（設定対象の無線機器）を無線機器１−２とする。
【００３１】
〔手順１：レイアウト図の表示〕
操作者は、固有情報設定装置２を起動し、そのディスプレイ２−８上に、１階のフロアのレイアウト図（以下、単に、フロアレイアウト図と言う）を表示させる（図４：矢印（１））。図５にディスプレイ２−８におけるフロアレイアウト図の表示例を示す。この場合、ディスプレイ２−８には、フロアレイアウト図Ｇ１と、計測開始ボタンＢＴ１と、確定ボタンＢＴ２と、メッセージの表示欄ＭＳと、計測地点の入力欄ＰＷなどが表示される。
【００３２】
フロアレイアウト図Ｇ１中には、１階フロアにおける各部屋の配置、１階フロアに設けられている各種設備の位置など、そのフロア内の詳細な情報が表示される。このフロアレイアウト図Ｇ１は、拡大／縮小表示が可能であり、フロアレイアウト図Ｇ１における「長さ」と「実距離」との関係は予め定められている。また、フロアレイアウト図Ｇ１中の原点位置なども予め定められている。
【００３３】
〔手順２：第１の計測地点での計測〕
次に、操作者は、１階のフロア内の任意の地点を第１の計測地点ＰＡとし、この第１の計測地点ＰＡまで固有情報設定装置２を持って移動し、フロアレイアウト図Ｇ１上で第１の計測地点ＰＡの位置をマーキングする（図４：矢印(２)）。
【００３４】
この例では、フロアレイアウト図Ｇ１上の第１の計測地点ＰＡの位置までポインタを移動し、マウスクリックする。すると、図６に示すように、第１の計測地点ＰＡの位置を示すマークＭＡがフロアレイアウト図Ｇ１中に表示される。
【００３５】
そして、操作者は、計測地点の入力欄ＰＷを「地点ＰＡ」とし、計測開始ボタンＢＴ１をマウスクリックする。すると、固有情報設定装置２は、通信可能圏内の無線機器１に対して物理識別子の返送指令を送信する（図４：矢印(３)）。
【００３６】
この場合、通信可能圏内には、図１に示したように、無線機器１−１，１−２，１−３が位置しているものとする。この固有情報設定装置２からの物理識別子の返送指令に応えて、通信可能圏内の無線機器１−１，１−２，１−３は、自己に設定されている物理識別子＃１，＃２，＃３を返送する（図４：矢印(４)）。
【００３７】
固有情報設定装置２は、通信可能圏内の無線機器１−１，１−２，１−３から物理識別子＃１，＃２，＃３が返送されてくると、その物理識別子＃１，＃２，＃３の受信時の電波強度（受信電波強度）Ｖ１Ａ，Ｖ２Ａ，Ｖ３Ａを計測し、物理識別子＃１と受信電波強度Ｖ１Ａとを対とし、物理識別子＃２と受信電波強度Ｖ２Ａとを対とし、物理識別子＃３と受信電波強度Ｖ３Ａとを対とし、これらの物理識別子と受信電波強度との対を第１の計測地点ＰＡでの計測結果として記憶する。そして、第１の計測地点ＰＡでの計測を完了したことをメッセージの表示欄ＭＳで知らせる。
【００３８】
〔手順３：第２の計測地点での計測〕
次に、操作者は、１階のフロア内での計測地点を変える。この場合、第１の計測地点ＰＡから離れた任意の位置を第２の計測地点ＰＢとし、この第２の計測地点ＰＢまで固有情報設定装置２を持って移動する。そして、フロアレイアウト図Ｇ１上で、第２の計測地点ＰＢの位置をマーキングする（図４：矢印(５)）。すると、図７に示すように、第２の計測地点ＰＢの位置を示すマークＭＢがフロアレイアウト図Ｇ１中に表示される。
【００３９】
そして、操作者は、計測地点の入力欄ＰＷを「地点ＰＢ」とし、計測開始ボタンＢＴ１をマウスクリックする。すると、固有情報設定装置２は、通信可能圏内の無線機器１（１−１，１−２，１−３）に対して物理識別子の返送指令を送信する（図４：矢印(６)）。この固有情報設定装置２からの物理識別子の返送指令に応えて、通信可能圏内の無線機器１−１，１−２，１−３は、自己に設定されている物理識別子＃１，＃２，＃３を返送する（図４：矢印(７)）。
【００４０】
固有情報設定装置２は、通信可能圏内の無線機器１−１，１−２，１−３から物理識別子＃１，＃２，＃３が返送されてくると、その物理識別子＃１，＃２，＃３の受信時の電波強度（受信電波強度）Ｖ１Ｂ，Ｖ２Ｂ，Ｖ３Ｂを計測し、物理識別子＃１と受信電波強度Ｖ１Ｂとを対とし、物理識別子＃２と受信電波強度Ｖ２Ｂとを対とし、物理識別子＃３と受信電波強度Ｖ３Ｂとを対とし、これらの物理識別子と受信電波強度との対を第２の計測地点ＰＢでの計測結果として記憶する。そして、第２の計測地点ＰＢでの計測を完了したことをメッセージの表示欄ＭＳで知らせる。
【００４１】
〔手順４：第３の計測地点での計測〕
次に、操作者は、１階のフロア内での計測地点をさらに変える。この場合、第１の計測地点ＰＡおよび第２の計測地点ＰＢから離れた任意の位置を第３の計測地点ＰＣとし、この第３の計測地点ＰＣまで固有情報設定装置２を持って移動する。そして、フロアレイアウト図Ｇ１上で、第３の計測地点ＰＣの位置をマーキングする（図４：矢印(８)）。すると、図８に示すように、第３の計測地点ＰＣの位置を示すマークＭＣがフロアレイアウト図Ｇ１中に表示される。
【００４２】
そして、操作者は、計測地点の入力欄ＰＷを「地点ＰＣ」とし、計測開始ボタンＢＴ１をマウスクリックする。すると、固有情報設定装置２は、通信可能圏内の無線機器１（１−１，１−２，１−３）に対して物理識別子の返送指令を送信する（図４：矢印(９)）。この固有情報設定装置２からの物理識別子の返送指令に応えて、通信可能圏内の無線機器１−１，１−２，１−３は、自己に設定されている物理識別子＃１，＃２，＃３を返送する（図４：矢印(１０)）。
【００４３】
固有情報設定装置２は、通信可能圏内の無線機器１−１，１−２，１−３から物理識別子＃１，＃２，＃３が返送されてくると、その物理識別子＃１，＃２，＃３の受信時の電波強度（受信電波強度）Ｖ１Ｃ，Ｖ２Ｃ，Ｖ３Ｃを計測し、物理識別子＃１と受信電波強度Ｖ１Ｃとを対とし、物理識別子＃２と受信電波強度Ｖ２Ｃとを対とし、物理識別子＃３と受信電波強度Ｖ３Ｃとを対とし、これらの物理識別子と受信電波強度との対を第３の計測地点ＰＣでの計測結果として記憶する。そして、第３の計測地点ＰＣでの計測を完了したことをメッセージの表示欄ＭＳで知らせる。
【００４４】
〔手順５：無線機器の位置の特定〕
固有情報設定装置２は、第３の計測地点ＰＣでの計測を完了すると、自動的に、計測地点ＰＡ，ＰＢ，ＰＣでの計測結果に基づいて、その計測結果に含まれる物理識別子＃１，＃２，＃３毎にその物理識別子を返送してきた無線機器１−１，１−２，１−３の位置を特定し、その特定した無線機器１−１，１−２，１−３の位置をフロアレイアウト図Ｇ１中に表示する（図４：矢印(１１)）。図９にフロアレイアウト図Ｇ１中に表示された無線機器１−１，１−２，１−３の位置を示す。無線機器１−１，１−２，１−３の位置はマークＭ１，Ｍ２，Ｍ３で示される。
【００４５】
この場合、例えば、物理識別子＃１を返送してきた無線機器１−１の位置の特定は、次のようにして行う。物理識別子＃１に対しては、第１の計測地点ＰＡでの受信電波強度Ｖ１Ａと、第２の計測地点ＰＢでの受信電波強度Ｖ１Ｂと、第３の計測地点ＰＣでの受信電波強度Ｖ１Ｃとが記憶されている。この受信電波強度Ｖ１Ａ，Ｖ１Ｂ，Ｖ１Ｃより物理識別子＃１を返送してきた無線機器１−１と各計測地点ＰＡ，ＰＢ，ＰＣとの間の距離Ｒ１Ａ，Ｒ１Ｂ，Ｒ１Ｃを推定する。
【００４６】
そして、この推定した距離Ｒ１Ａ，Ｒ１Ｂ，Ｒ１Ｃより、３辺測位法などのアルゴリズムによって、無線機器１−１の位置を特定する（図１０参照）。これと同様にして、物理識別子＃２を返送してきた無線機器１−２の位置、物理識別子＃３を返送してきた無線機器１−３の位置も特定する。
【００４７】
〔手順６：設定対象の無線機器の指定〕
操作者は、フロアレイアウト図Ｇ１中にその位置が表示された無線機器１−１，１−２，１−３の中から、所望の無線機器を設定対象の無線機器として指定する。この例では、設定対象の無線機器を無線機器１−２とし、この無線機器１−２の位置を示すマークＭ２をマウスクリックする（図４：矢印(１２)）。マークＭ２は、マウスクリックされると、その表示色が変わる。
【００４８】
〔手順７：設定対象の無線機器からの設定情報のデフォルト値の取得〕
すると、固有情報設定装置２は、設定対象の無線機器１−２の物理識別子＃２を付加して、通信可能圏内の無線機器１（１−１〜１−３）に対して設定情報のデフォルト値の送信要求を送る（図４：矢印(１３)）。
【００４９】
通信可能圏内の無線機器１（１−１〜１−３）は、固有情報設定装置２からの設定情報のデフォルト値の送信要求を受信し、その送信要求に付加されている物理識別子＃２と自己に設定されている物理識別子とが一致しているか否かを判断する。
【００５０】
この場合、設定対象の無線機器１−２において、その送信要求に付加されている物理識別子＃２と自己に設定されている物理識別子＃２とが一致していると判断される。これにより、設定対象の無線機器１−２は、固有情報設定装置２からの設定情報のデフォルト値の送信要求に応えて、自己が記憶している各種設定情報項目およびその設定情報項目に対する設定情報のデフォルト値を固有情報設定装置２へ返送する（図４：矢印(１４)）。
【００５１】
固有情報設定装置２は、設定対象の無線機器１−２から返送されてくる各種設定情報項目およびその設定情報項目に対する設定情報のデフォルト値を取得し、そのデフォルト値を含む各種設定情報の入力ウィンドウＷ１（図１１参照）をフロアレイアウト図Ｇ１の横に表示する（図４：矢印(１５)）。
【００５２】
この例では、各種設定情報の入力ウィンドウＷ１中、設定情報項目として、「コントローラ名称」、「論理アドレス（管理番地）」、「連動制御方式」、「復電時運転状態」、「セットバック動作指令」、「室温設定方式」が表示される。「コントローラ名称」と「論理アドレス（管理番地）」はその設定情報の入力欄が空白とされており、「連動制御方式」は「連動あり」、「復電時運転状態」は「前回状態」、「セットバック動作指令」は「セットバック有り」、「室温設定方式」は「年間冷房主設定」としてその設定情報の入力欄にデフォルト値が設定されている。
【００５３】
〔手順８：設定情報の入力〕
操作者は、この表示された各種設定情報の入力ウィンドウＷ１において、「コントローラ名称」や「論理アドレス（管理番地）」については、所望の設定情報を入力する。「連動制御方式」、「復電時運転状態」、「セットバック動作指令」、「室温設定方式」については、変更の必要があれば、その設定情報を変更する（図４：矢印(１６)）。
【００５４】
〔手順９：設定情報の送信〕
そして、操作者は、各種設定情報の入力ウィンドウＷ１からの設定情報の入力を終了した後、確定ボタンＢＴ２をマウスクリックする（図１２参照）。すると、固有情報設定装置２は、設定対象の無線機器１−２に対する設定情報の入力が確定したと判断し、その確定された入力ウィンドウＷ１中の設定情報を設定対象の無線機器１−２の物理識別子＃２を付加して通信可能圏内の無線機器１（１−１〜１−３）に対して送信する（図４：矢印(１７)）。
【００５５】
通信可能圏内の無線機器１（１−１〜１−３）は、固有情報設定装置２からの設定情報を受信し、その設定情報に付加されている物理識別子＃２と自己に設定されている物理識別子とが一致しているか否かを判断する。
【００５６】
この場合、設定対象の無線機器１−２において、その設定情報に付加されている物理識別子＃２と自己に設定されている物理識別子＃２とが一致していると判断される。これにより、設定対象の無線機器１−２は、固有情報設定装置２からの設定情報を自己に割り当てられた固有情報として記憶し、ＡＣＫ信号を固有情報設定装置２へ返す（図４：矢印(１８)）。
【００５７】
固有情報設定装置２は、設定対象の無線機器１−２からＡＣＫ信号が返送されてくると、設定対象の無線機器１−２への固有情報の設定が完了したことをメッセージの表示欄ＭＳで知らせる。
【００５８】
上述した実施の形態では、無線機器１−２を設定対象の無線機器としたが、設定対象の無線機器を無線機器１−１とした場合でも、無線機器１−２を設定対象の無線機器とした場合と同様の手順で、無線機器１−１への固有情報の設定を行うことができる。設定対象の無線機器を無線機器１−３とした場合も同様である。
【００５９】
なお、この場合、各種設定情報の入力ウィンドウＷ１は、フロアレイアウト図Ｇ１上で次の設定対象の無線機器が選択されるまで表示され続ける。また、この場合、固有情報の設定がまだ行われていない無線機器は、その無線機器の位置を示すマークの表示色で分かる。
【００６０】
また、上述した実施の形態では、設定対象の無線機器から各種設定情報項目およびその設定情報項目に対する設定情報のデフォルト値を取得するようにしたが、固有情報設定装置２のメモリに無線機器１の種類に応じた各種設定情報項目およびその設定情報項目に対する設定情報のデフォルト値を記憶させておき、そのメモリから設定対象の無線機器１−２の種類に応じた各種設定情報項目およびその設定情報項目に対する設定情報のデフォルト値を読み出すようにしてもよい。
【００６１】
この場合のシーケンス図を図１３に示す。図４に示したシーケンス図と比較して分かるように、図１３に示したシーケンス図では設定対象の無線機器１−２への設定情報のデフォルト値の送信要求が省略され（図４における矢印（１３））、設定対象の無線機器１−２の種類に応じた各種設定情報項目およびその設定情報項目に対する設定情報のデフォルト値が固有情報設定装置２自身のメモリから読み出され、そのデフォルト値を含む各種設定情報の入力ウィンドウＷ１が表示される（図１３：矢印（１３））。他は、図４に示したシーケンス図と同じであるので、その説明は省略する。
【００６２】
以上の説明から分かるように、本実施の形態によれば、３つの計測地点での計測結果に基づいて、その計測結果に含まれる物理識別子毎にその物理識別子を返送してきた無線機器の位置が特定され、その特定された無線機器の位置がフロアレイアウト図中に表示されるので、無線機器の設置場所が不明確な場合であっても所望の無線機器を探し出すことができるようになる。
【００６３】
また、本実施の形態によれば、フロアレイアウト図中から所望の無線機器を設定対象の無線機器として指定すると、その指定した設定対象の無線機器に対する各種設定情報の入力ウィンドウが表示され、この各種設定情報の入力ウィンドウから設定対象の無線機器に対する固有情報の設定を行うことができるので、固有情報設定装置に各無線機器の物理識別子とその無線機器に割り当てる固有情報との対応関係を登録しなくてもよく、面倒な登録作業が不要となる。
【００６４】
また、本実施の形態によれば、各種設定情報の入力ウィンドウから入力された設定情報が設定対象の無線機器の物理識別子を付加して通信可能圏内の無線機器に送信され、設定情報に付加された物理識別子の一致を確認して設定対象の無線機器に固有情報として記憶されるので、固有情報設定装置の通信可能圏内に複数の無線機器が混在するような場合であっても、所望の無線機器のみに正しく固有情報を設定することができるようになる。
【００６５】
なお、本実施の形態では、計測地点を３つとしたが、計測地点は３つに限られるものではない。計測地点をさらに増やすことによって、無線機器の位置の特定精度を高めることが可能となる。
【００６６】
また、本実施の形態では、計測地点をマウスクリックによって特定し、マーキングするようにしたが、ＧＰＳなどを用いて固有情報設定装置の現在位置を自動的にフロアレイアウト図中に表示するようにし、その位置をマーキングするようにしてもよい。
【００６７】
また、本実施の形態では、固有情報設定装置自身の位置をフロアレイアウト図中で指定するようにしたが、例えば、計測用の無線装置を３台以上仮設置し、この仮設置した無線装置の位置を自身の現在位置としてフロアレイアウト図中で指定するようにし、これら仮設置した無線装置で受信される無線機器からの物理識別子とその物理識別子の受信時の電波強度との対を各計測地点での計測結果として記憶し、この記憶した計測結果から通信可能圏内の無線機器の位置を特定し、その特定した無線機器の位置をフロアレイアウト図中に表示するようにしてもよい。
【００６８】
また、本実施の形態において、無線機器は、天井裏や高所に機器を設置し、かつパラメータ設定を必要とする機器として、コントローラ以外にも、空調制御用バルブ・ダンパ・センサ、照明機器、無線ＬＡＮや構内ＰＨＳで使用される端末なども考えられる。
【００６９】
図１４および図１５に図４のシーケンス図を用いて説明した固有情報設定システムにおける固有情報設定装置２および無線機器１の要部の機能ブロック図を示す。
【００７０】
この方式（方式１）において、固有情報設定装置２は、表示部２Ａと、レイアウト図を記憶するレイアウト図記憶手段２Ｂと、レイアウト図表示手段２Ｃと、識別情報返送指令送信手段２Ｄと、識別情報受信手段２Ｅと、受信電波強度計測手段２Ｆと、計測結果記憶手段２Ｇと、無線機器位置特定手段２Ｈと、設定情報入力部表示手段２Ｉと、設定情報送信手段２Ｊとを備えている。無線機器１は、識別情報返送手段１Ａと、設定情報のデフォルト値送信手段１Ｂと、固有情報記憶手段１Ｃと、各種設定情報のデフォルト値を記憶する記憶部１Ｄとを備えている。
【００７１】
〔固有情報設定装置〕
固有情報設定装置２において、レイアウト図表示手段２Ｃは、指定されたエリアのレイアウト図をレイアウト図記憶手段２Ｂから読み出して、表示部２Ａに表示する。識別情報返送指令送信手段２Ｄは、表示部２Ａに表示されたレイアウト図において、自身の現在位置を計測地点として指定したうえ計測開始が指示された場合、通信可能圏内の無線機器１に対してその無線機器に設定されている識別情報の返送指令を送信する。
【００７２】
識別情報受信手段２Ｅは、識別情報返送指令送信手段２Ｄからの返送指令に応えて通信可能圏内の無線機器１から返送されてきた識別情報を受信する。受信電波強度計測手段２Ｆは、識別情報受信手段２Ｅが受信した識別情報について、その識別情報の受信時の電波強度（受信電波強度）を計測する。計測結果記憶手段２Ｇは、識別情報受信手段２Ｅが受信した識別情報毎に、その識別情報とその識別情報の受信電波強度とを対とし、計測地点での計測結果として記憶する。
【００７３】
無線機器位置特定手段２Ｈは、計測結果記憶手段２Ｇが記憶する３つの計測地点での計測結果に基づいて、その計測結果に含まれる識別情報毎にその識別情報を返送してきた無線機器１の位置を特定し、その特定した無線機器１の位置を表示部２Ａにおけるレイアウト図中に表示する。
【００７４】
設定情報入力部表示手段２Ｉは、表示部２Ａにおけるレイアウト図中に表示されているその位置が特定された無線機器１の中から、所望の機器が設定対象の無線機器として指定された場合、その指定された設定対象の無線機器に対する設定情報の入力部を表示部２Ａに表示する。
【００７５】
この場合、設定情報入力部表示手段２Ｉは、設定情報のデフォルト値の送信要求を設定対象の無線機器の識別情報を付加して通信可能圏内の無線機器へ送り、これに応えて設定対象の無線機器から送られてきた設定情報のデフォルト値を取得し、そのデフォルト値を含む各種設定情報の入力ウィンドウを設定情報の入力部として表示する。
【００７６】
設定情報送信手段２Ｊは、表示部２Ａに表示された設定情報の入力部に所望の設定情報が入力され、その設定情報の入力が確定された場合、その確定された設定情報を設定対象の無線機器の識別情報を付加して通信可能圏内の無線機器１に対して送信する。
【００７７】
〔無線機器〕
無線機器１において、識別情報返送手段１Ａは、固有情報設定装置２より送られてくる識別情報の返送指令に応じて自己に設定されている識別情報を固有情報設定装置２へ返送する。
【００７８】
固有情報のデフォルト値送信手段１Ｂは、固有情報設定装置２からの設定情報のデフォルト値の送信要求に応えて、その設定情報のデフォルト値の送信要求に付加されている識別情報が自己に設定されている識別情報と一致していた場合、記憶部１Ｄに記憶されている各種設定情報のデフォルト値を固有情報設定装置２へ返送する。
【００７９】
固有情報記憶手段１Ｃは、固有情報設定装置２からの設定情報を受信し、その設定情報に付加されている識別情報が自己に設定されている識別情報と一致していた場合、受信した設定情報を自己に割り当てたれた固有情報として記憶する。
【００８０】
図１６および図１７に図１３のシーケンス図を用いて説明した固有情報設定システムにおける固有情報設定装置２および無線機器１の要部の機能ブロック図を示す。
【００８１】
この方式（方式２）において、固有情報設定装置２は、無線機器の種類に応じた各種設定情報のデフォルト値を記憶する記憶部２Ｋを備えており、設定情報入力部表示手段２Ｉは、指定された設定対象の無線機器の種類に応じた各種設定情報のデフォルト値を記憶部２Ｋから読み出して、設定対象の無線機器に対する設定情報の入力部を表示部２Ａに表示する。
【００８２】
この方式において、無線機器１は、図１５に示したような設定情報のデフォルト値送信手段１Ｂや各種設定情報のデフォルト値を記憶する記憶部１Ｄは備えていない。
【図面の簡単な説明】
【００８３】
【図１】本発明に係る固有情報設定システムの一実施の形態を示す構成図である。
【図２】この固有情報設定システムにおける無線機器の内部構成の概略を示す図である。
【図３】この固有情報設定システムにおける固有情報設定装置の内部構成の概略を示す図である。
【図４】この固有情報設定システムにおいて固有情報設定装置から設定対象の無線機器へ固有情報を設定する際の動作を示すシーケンス図（方式１）である。
【図５】固有情報設定装置のディスプレイ上でのフロアレイアウト図の表示例を示す図である。
【図６】第１の計測地点の位置を示すマークがフロアレイアウト図中に表示された状況を示す図である。
【図７】第２の計測地点の位置を示すマークがフロアレイアウト図中に表示された状況を示す図である。
【図８】第３の計測地点の位置を示すマークがフロアレイアウト図中に表示された状況を示す図である。
【図９】通信可能圏内の無線機器の位置を示すマークがフロアレイアウト図中に表示された状況を示す図である。
【図１０】無線機器と各計測地点との間の距離からその無線機器の位置を特定する状況を示す図である。
【図１１】設定対象の無線機器のデフォルト値を含む各種設定情報の入力ウィンドウがフロアレイアウト図の横に表示された状況を示す図である。
【図１２】各種設定情報の入力ウィンドウからの設定情報の入力を終了した後に確定ボタンをマウスクリックする状況を示す図である。
【図１３】この固有情報設定システムにおいて固有情報設定装置から設定対象の無線機器へ固有情報を設定する際の動作を示すシーケンス図（方式２）である。
【図１４】図４のシーケンス図を用いて説明した方式とした固有情報設定システムにおける固有情報設定装置の要部の機能ブロック図である。
【図１５】図４のシーケンス図を用いて説明した方式とした固有情報設定システムにおける無線機器の要部の機能ブロック図である。
【図１６】図１３のシーケンス図を用いて説明した方式とした固有情報設定システムにおける固有情報設定装置の要部の機能ブロック図である。
【図１７】図１２のシーケンス図を用いて説明した方式とした固有情報設定システムにおける無線機器の要部の機能ブロック図である。
【符号の説明】
【００８４】
１（１−１〜１−３）…無線機器、２…固有情報設定装置、１Ａ…ＣＰＵ、１Ｂ…ＲＯＭ、１Ｃ…ＲＡＭ、１Ｄ…不揮発性メモリ、１Ｅ…無線送受信回路、１Ｆ…計測制御用入出力回路、１Ｇ…アンテナ、２−１…ＣＰＵ、２−２…ＲＡＭ、２−３…ＲＯＭ、２−４…記憶装置、２−５…無線送受信部、２−６，２−７…インターフェイス、２−８…ディスプレイ、２−９…キーボード、２−１０…マウス、２−１１…アンテナ、Ｇ１…フロアレイアウト図、ＢＴ１…計測開始ボタン、ＢＴ２…確定ボタン、ＭＳ…メッセージの表示欄、ＰＷ…計測地点の入力欄、ＭＡ，ＭＢ，ＭＣ…計測地点の位置を示すマーク、Ｍ１，Ｍ２，Ｍ３…無線機器の位置を示すマーク、Ｗ１…各種設定情報の入力ウィンドウ、１Ａ…識別情報返送手段、１Ｂ…設定情報のデフォルト値送信手段、１Ｃ…固有情報記憶手段、１Ｄ…記憶部、２Ａ…表示部、２Ｂ…レイアウト図記憶手段、２Ｃ…レイアウト図表示手段、２Ｄ…識別情報返送指令送信手段、２Ｅ…識別情報受信手段、２Ｆ…受信電波強度計測手段、２Ｇ…計測結果記憶手段、２Ｈ…無線機器位置特定手段、２Ｉ…設定情報入力部表示手段、２Ｊ…設定情報送信手段、２Ｋ…記憶部。
【図１】
0004974378.tif 000002
【図２】
0004974378.tif 000003
【図３】
0004974378.tif 000004
【図４】
0004974378.tif 000005
【図５】
0004974378.tif 000006
【図６】
0004974378.tif 000007
【図７】
0004974378.tif 000008
【図８】
0004974378.tif 000009
【図９】
0004974378.tif 000010
【図１０】
0004974378.tif 000011
【図１１】
0004974378.tif 000012
【図１２】
0004974378.tif 000013
【図１３】
0004974378.tif 000014
【図１４】
0004974378.tif 000015
【図１５】
0004974378.tif 000016
【図１６】
0004974378.tif 000017
【図１７】
0004974378.tif 000018